(57)【要約】【課題】利用者が視聴を開始した時点で既に放送済みである放送番組のうち、利用者の嗜好に適合する放送番組の映像音声信号を記録する。【解決手段】  番組情報を記憶する番組情報記憶部１５と、映像音声信号を記録する映像音声信号一時記録部１３と、番組嗜好情報を記憶する番組嗜好情報記憶部１６と、自装置の主電源が投入されていない場合に、記録中である映像音声信号に対応する放送番組の放送終了時刻が、現在時刻に一致するか否かを判定する時刻判定手段２０ａと、一致したと判定された場合に、番組情報及び番組嗜好情報に基づいて、現在放送中の放送番組、又は現在時刻から所定時間経過までの間に放送開始予定である放送番組のうち、最も番組嗜好度の高い放送番組を決定する番組決定手段２０ｂと、決定された放送番組の映像音声信号を映像音声信号一時記録部１３に記録させる記録制御手段１２ａとを備える。【選択図】    図１
2009141575.tif 000002
【特許請求の範囲】
【請求項１】
放送番組の映像音声信号と、少なくとも前記放送番組の放送終了時刻を含む番組情報とを受信し、この受信した映像音声信号の一時記録及び再生を行う一時記録再生装置であって、
前記受信した番組情報を記憶する番組情報記憶部と、
前記映像音声信号を記録する映像音声信号一時記録部と、
前記放送番組の視聴者による嗜好度合いを示す番組嗜好度を含む番組嗜好情報を記憶する番組嗜好情報記憶部と、
当該一時記録再生装置の主電源が投入されていない場合に、前記映像音声信号一時記録部が記録中である前記映像音声信号に対応する前記番組情報に含まれた放送終了時刻が、現在時刻に一致するか否かを判定する時刻判定手段と、
前記放送終了時刻が現在時刻に一致したと判定された場合に、前記番組情報記憶部及び前記番組嗜好情報記憶部から、それぞれ前記番組情報及び前記番組嗜好情報を読み出し、この読み出された番組情報及び番組嗜好情報に基づいて、現在放送中の放送番組、又は現在時刻から所定時間経過するまでの間に放送開始予定である放送番組のうち、最も前記番組嗜好度の高い放送番組を決定する番組決定手段と、
前記番組決定手段により決定された放送番組の前記映像音声信号を前記映像音声信号一時記録部に記録させる記録制御手段と、
を備えたことを特徴とする一時記録再生装置。
【請求項２】
前記放送番組の映像音声信号を記録する映像音声信号記録部と、
前記放送番組の映像音声信号を前記映像音声信号記録部に記録させるための予め定められた情報である録画予約情報を記憶する録画予約情報記憶部と、
を更に備え、
前記番組決定手段は、
前記放送終了時刻が現在時刻に一致したと判定された場合に、前記番組情報記憶部、前記番組嗜好情報記憶部、及び前記録画予約情報記憶部から、それぞれ前記番組情報、前記番組嗜好情報、及び前記録画予約情報を読み出し、この読み出された番組情報、番組嗜好情報、及び録画予約情報に基づいて、現在放送中の放送番組、又は現在時刻から所定時間経過するまでの間に放送開始予定である放送番組であり、かつ前記録画予約情報に含まれない放送番組のうち、最も前記番組嗜好度の高い放送番組を決定するようにした
ことを特徴とする請求項１記載の一時記録再生装置。
【請求項３】
放送番組の映像音声信号と、少なくとも前記放送番組の放送終了時刻を含む番組情報とを受信し、この受信した映像音声信号の一時記録及び再生を行う一時記録再生装置であり、前記受信した番組情報を記憶する番組情報記憶部と、前記受信した映像音声信号を記録する映像音声信号一時記録部と、前記放送番組の視聴者による嗜好度合いを示す番組嗜好度を含む番組嗜好情報を記憶する番組嗜好情報記憶部と、を備える前記一時記録再生装置に実行させるための一時記録再生用プログラムであって、
前記一時記録再生装置の主電源が投入されていない場合に、前記映像音声信号一時記録部が記録中である前記映像音声信号に対応する前記番組情報に含まれた放送終了時刻が、現在時刻に一致するか否かを判定する時刻判定ステップと、
前記放送終了時刻が現在時刻に一致したと判定された場合に、前記番組情報記憶部及び前記番組嗜好情報記憶部から、それぞれ前記番組情報及び前記番組嗜好情報を読み出し、この読み出された番組情報及び番組嗜好情報に基づいて、現在放送中の放送番組、又は現在時刻から所定時間経過するまでの間に放送開始予定である放送番組のうち、最も前記番組嗜好度の高い放送番組を決定する番組決定ステップと、
前記番組決定ステップにより決定された放送番組の前記映像音声信号を前記映像音声信号一時記録部に記録させる記録制御ステップと、
を前記一時記録再生装置に実行させるための一時記録再生用プログラム。
【請求項４】
前記請求項３記載の一時記録再生装置は、
前記放送番組の映像音声信号を記録する映像音声信号記録部と、
前記放送番組の映像音声信号を前記映像音声信号記録部に記録させるための予め定められた情報である録画予約情報を記憶する録画予約情報記憶部と、を更に備えており、
前記番組決定ステップは、
前記放送終了時刻が現在時刻に一致したと判定された場合に、前記番組情報記憶部、前記番組嗜好情報記憶部、及び前記録画予約情報記憶部から、それぞれ前記番組情報、前記番組嗜好情報、及び前記録画予約情報を読み出し、この読み出された番組情報、番組嗜好情報、及び録画予約情報に基づいて、現在放送中の放送番組、又は現在時刻から所定時間経過するまでの間に放送開始予定である放送番組であり、かつ前記録画予約情報に含まれない放送番組のうち、最も前記番組嗜好度の高い放送番組を決定するようにして前記一時記録再生装置に実行させるようにした請求項３記載の一時記録再生用プログラム。
【請求項５】
放送番組の映像音声信号と、少なくとも前記放送番組の放送終了時刻を含む番組情報とを受信し、この受信した映像音声信号の一時記録及び再生を行う一時記録再生装置であり、前記受信した番組情報を記憶する番組情報記憶部と、前記受信した映像音声信号を記録する映像音声信号一時記録部と、前記放送番組の視聴者による嗜好度合いを示す番組嗜好度を含む番組嗜好情報を記憶する番組嗜好情報記憶部と、を備える前記一時記録再生装置を用いて、前記映像音声信号を記録する一時記録方法であって、
前記一時記録再生装置の主電源が投入されていない場合に、前記映像音声信号一時記録部が記録中である前記映像音声信号に対応する前記番組情報に含まれた放送終了時刻が、現在時刻に一致するか否かを判定する時刻判定ステップと、
前記放送終了時刻が現在時刻に一致したと判定された場合に、前記番組情報記憶部及び前記番組嗜好情報記憶部から、それぞれ前記番組情報及び前記番組嗜好情報を読み出し、この読み出された番組情報及び番組嗜好情報に基づいて、現在放送中の放送番組、又は現在時刻から所定時間経過するまでの間に放送開始予定である放送番組のうち、最も前記番組嗜好度の高い放送番組を決定する番組決定ステップと、
前記番組決定ステップにより決定された放送番組の前記映像音声信号を前記映像音声信号一時記録部に記録させる記録制御ステップと、
を有したことを特徴とする一時記録方法。
【請求項６】
前記請求項５記載の一時記録再生装置は、
前記放送番組の映像音声信号を記録する映像音声信号記録部と、
前記放送番組の映像音声信号を前記映像音声信号記録部に記録させるための予め定められた情報である録画予約情報を記憶する録画予約情報記憶部と、を更に備えており、
前記番組決定ステップは、
前記放送終了時刻が現在時刻に一致したと判定された場合に、前記番組情報記憶部、前記番組嗜好情報記憶部、及び前記録画予約情報記憶部から、それぞれ前記番組情報、前記番組嗜好情報、及び前記録画予約情報を読み出し、この読み出された番組情報、番組嗜好情報、及び録画予約情報に基づいて、現在放送中の放送番組、又は現在時刻から所定時間経過するまでの間に放送開始予定である放送番組であり、かつ前記録画予約情報に含まれない放送番組のうち、最も前記番組嗜好度の高い放送番組を決定するようにしたことを特徴とする請求項５記載の一時記録方法。
【発明の詳細な説明】
【技術分野】
【０００１】
本発明は、放送番組の映像音声信号と、放送番組の放送終了時刻を含む番組情報とを受信し、映像音声信号の記録及び再生を行う、一時記録再生装置、一時記録再生用プログラム、及び一時記録方法に関する。
【背景技術】
【０００２】
一般的に、テレビジョン放送の録画機や録画機能を有するテレビジョン受信機（以下、テレビジョン録画機という）が普及している。このようなテレビジョン録画機を利用する利用者は、新聞のテレビ・ラジオ番組表が掲載されている欄（以下、テレビ等番組欄という）や、ＥＰＧ（Electric Program Guide）情報等により放送番組の内容を確認し、テレビジョン録画機に対して、興味ある放送番組の録画を要求するための操作や録画予約を要求するための操作（以下、録画に関する操作という）を行う。これにより、利用者は、後日、テレビジョン録画機に録画された放送番組を視聴することができる。
【０００３】
しかしながら、例えば、ニュース番組やスポーツ番組のように、番組内容に関する情報が少ない放送番組、即ち、新聞のテレビ等番組欄やＥＰＧ情報に詳細な番組内容が記載されていないことが多い放送番組については、利用者は放送番組の詳細な内容を把握できず、録画に関わる操作を行なわない場合が多かった。
【０００４】
一方、利用者は、テレビジョン録画機にて受信された放送番組を視聴している際、利用者にとって印象に残る場面があった場合や、放送番組の内容をより詳細に知りたいと感じた場合、放送済みの放送番組の場面をもう一度視聴したいと思うことがある。
【０００５】
このような場合、利用者が録画に関する操作を行っていなければ、テレビジョン録画機は録画を行うことがなく、利用者は放送済みの放送番組の場面をもう一度視聴することができなかった。
【０００６】
そこで、特許文献１には、利用者が視聴している放送番組の映像音声信号（放送情報）を一時的に保存し、その後、保存された映像音声信号を再生する録画システムが提案されている。
【特許文献１】特許第３７６９４１２号公報
【発明の開示】
【発明が解決しようとする課題】
【０００７】
しかしながら、利用者は、ニュース番組やスポーツ番組の放送開始後に、例えばインターネット等により放送内容に関する詳細な情報を取得し、放送済みの場面を視聴したいと思う場合がある。
【０００８】
このような場合、特許文献１に記載の録画システムでは、利用者が視聴している放送番組の映像音声信号（放送情報）を一時的に記録し、その後、記録された映像音声信号を再生するので、利用者が視聴していない放送番組の場面、即ち利用者が視聴を開始した時点で既に放送済みである放送番組の場面を記録することができない。そのため、利用者は、視聴していない放送番組の放送済みの場面を視聴することができなかった。
【０００９】
また、利用者が放送済みの放送番組の場面を視聴できるように、利用者により録画に関する操作が行われていない全ての放送番組の映像音声信号を記録すると、利用者にとって不要な放送番組まで記録してしまう。そのため、利用者は、記録された放送番組から視聴したい放送番組を特定するのが煩わしく感じる場合がある。また、このような構成では、多数のチューナや大容量の記録装置が必要となり、製造コストが高くなるという課題があった。
【００１０】
本発明は、上記課題に鑑みてなされたものであり、利用者が視聴していない放送番組のうち、利用者の嗜好に適合する放送番組の映像音声信号を一時記録する、一時記録再生装置、一時記録再生用プログラム、及び一時記録方法を提供することを目的とする。
【課題を解決するための手段】
【００１１】
上記目的を達成するため、本発明に係る一時記録装置の第１の特徴は、放送番組の映像音声信号と、少なくとも放送番組の放送終了時刻を含む番組情報とを受信し、この受信した映像音声信号の一時記録及び再生を行う一時記録再生装置であって、受信した番組情報を記憶する番組情報記憶部と、映像音声信号を記録する映像音声信号一時記録部と、放送番組の視聴者による嗜好度合いを示す番組嗜好度を含む番組嗜好情報を記憶する番組嗜好情報記憶部と、当該一時記録再生装置の主電源が投入されていない場合に、映像音声信号一時記録部が記録中である映像音声信号に対応する番組情報に含まれた放送終了時刻が、現在時刻に一致するか否かを判定する時刻判定手段と、放送終了時刻が現在時刻に一致したと判定された場合に、番組情報記憶部及び番組嗜好情報記憶部から、それぞれ番組情報及び番組嗜好情報を読み出し、この読み出された番組情報及び番組嗜好情報に基づいて、現在放送中の放送番組、又は現在時刻から所定時間経過するまでの間に放送開始予定である放送番組のうち、最も番組嗜好度の高い放送番組を決定する番組決定手段と、番組決定手段により決定された放送番組の映像音声信号を映像音声信号一時記録部に記録させる記録制御手段とを備えたことにある。
【００１２】
上記目的を達成するため、本発明に係る一時記録装置の第２の特徴は、放送番組の映像音声信号を記録する映像音声信号記録部と、放送番組の映像音声信号を映像音声信号記録部に記録させるための予め定められた情報である録画予約情報を記憶する録画予約情報記憶部と、を更に備え、番組決定手段が、放送終了時刻が現在時刻に一致したと判定された場合に、番組情報記憶部、番組嗜好情報記憶部、及び録画予約情報記憶部から、それぞれ番組情報、番組嗜好情報、及び録画予約情報を読み出し、この読み出された番組情報、番組嗜好情報、及び録画予約情報に基づいて、現在放送中の放送番組、又は現在時刻から所定時間経過するまでの間に放送開始予定である放送番組であり、かつ録画予約情報に含まれない放送番組のうち、最も番組嗜好度の高い放送番組を決定するようにしたことにある。
【００１３】
上記目的を達成するため、本発明に係る一時記録再生用プログラムの第１の特徴は、放送番組の映像音声信号と、少なくとも放送番組の放送終了時刻を含む番組情報とを受信し、この受信した映像音声信号の一時記録及び再生を行う一時記録再生装置であり、受信した番組情報を記憶する番組情報記憶部と、受信した映像音声信号を記録する映像音声信号一時記録部と、放送番組の視聴者による嗜好度合いを示す番組嗜好度を含む番組嗜好情報を記憶する番組嗜好情報記憶部と、を備える一時記録再生装置に実行させるための一時記録再生用プログラムであって、一時記録再生装置の主電源が投入されていない場合に、映像音声信号一時記録部が記録中である映像音声信号に対応する番組情報に含まれた放送終了時刻が、現在時刻に一致するか否かを判定する時刻判定ステップと、放送終了時刻が現在時刻に一致したと判定された場合に、番組情報記憶部及び番組嗜好情報記憶部から、それぞれ番組情報及び番組嗜好情報を読み出し、この読み出された番組情報及び番組嗜好情報に基づいて、現在放送中の放送番組、又は現在時刻から所定時間経過するまでの間に放送開始予定である放送番組のうち、最も番組嗜好度の高い放送番組を決定する番組決定ステップと、番組決定ステップにより決定された放送番組の映像音声信号を映像音声信号一時記録部に記録させる記録制御ステップと、を一時記録再生装置に実行させることにある。
【００１４】
上記目的を達成するため、本発明に係る一時記録再生用プログラムの第２の特徴は、一時記録再生装置が、放送番組の映像音声信号を記録する映像音声信号記録部と、放送番組の映像音声信号を映像音声信号記録部に記録させるための予め定められた情報である録画予約情報を記憶する録画予約情報記憶部と、を更に備えており、番組決定ステップが、放送終了時刻が現在時刻に一致したと判定された場合に、番組情報記憶部、番組嗜好情報記憶部、及び録画予約情報記憶部から、それぞれ番組情報、番組嗜好情報、及び録画予約情報を読み出し、この読み出された番組情報、番組嗜好情報、及び録画予約情報に基づいて、現在放送中の放送番組、又は現在時刻から所定時間経過するまでの間に放送開始予定である放送番組であり、かつ録画予約情報に含まれない放送番組のうち、最も番組嗜好度の高い放送番組を決定するようにして一時記録再生装置に実行させることにある。
【００１５】
上記目的を達成するため、本発明に係る一時記録方法の第１の特徴は、放送番組の映像音声信号と、少なくとも放送番組の放送終了時刻を含む番組情報とを受信し、この受信した映像音声信号の一時記録及び再生を行う一時記録再生装置であり、受信した番組情報を記憶する番組情報記憶部と、受信した映像音声信号を記録する映像音声信号一時記録部と、放送番組の視聴者による嗜好度合いを示す番組嗜好度を含む番組嗜好情報を記憶する番組嗜好情報記憶部と、を備える一時記録再生装置を用いて、映像音声信号を記録する一時記録方法であって、一時記録再生装置の主電源が投入されていない場合に、映像音声信号一時記録部が記録中である映像音声信号に対応する番組情報に含まれた放送終了時刻が、現在時刻に一致するか否かを判定する時刻判定ステップと、放送終了時刻が現在時刻に一致したと判定された場合に、番組情報記憶部及び番組嗜好情報記憶部から、それぞれ番組情報及び番組嗜好情報を読み出し、この読み出された番組情報及び番組嗜好情報に基づいて、現在放送中の放送番組、又は現在時刻から所定時間経過するまでの間に放送開始予定である放送番組のうち、最も番組嗜好度の高い放送番組を決定する番組決定ステップと、番組決定ステップにより決定された放送番組の映像音声信号を映像音声信号一時記録部に記録させる記録制御ステップと、を有したことにある。
【００１６】
上記目的を達成するため、本発明に係る一時記録方法の第２の特徴は、一時記録再生装置が、放送番組の映像音声信号を記録する映像音声信号記録部と、放送番組の映像音声信号を映像音声信号記録部に記録させるための予め定められた情報である録画予約情報を記憶する録画予約情報記憶部と、を更に備えており、番組決定ステップが、放送終了時刻が現在時刻に一致したと判定された場合に、番組情報記憶部、番組嗜好情報記憶部、及び録画予約情報記憶部から、それぞれ番組情報、番組嗜好情報、及び録画予約情報を読み出し、この読み出された番組情報、番組嗜好情報、及び録画予約情報に基づいて、現在放送中の放送番組、又は現在時刻から所定時間経過するまでの間に放送開始予定である放送番組であり、かつ録画予約情報に含まれない放送番組のうち、最も番組嗜好度の高い放送番組を決定するようにしたことにある。
【発明の効果】
【００１７】
本発明に係る一時記録再生装置、一時記録再生用プログラム、及び一時記録方法によれば、利用者が視聴していない放送番組のうち、利用者の嗜好に適合する放送番組の映像音声信号を一時記録することができる。
【発明を実施するための最良の形態】
【００１８】
以下、本発明を実施するための最良の形態について図面を参照して説明する。
【実施例１】
【００１９】
本発明の実施例１では、放送番組の映像音声信号と、放送番組の放送終了時刻を含む番組情報とを受信し、映像音声信号の記録及び再生を行う一時記録装置について説明する。
【００２０】
＜一時記録装置の構成＞
図１は、本発明の実施例１である一時記録装置の構成を示した構成図である。本発明の実施例１である一時記録装置１は、放送受信部１１と、機器制御部１２と、映像音声信号一時記録部１３と、視聴履歴情報記憶部１４と、番組情報記憶部１５と、番組嗜好情報記憶部１６と、嗜好分析部１７と、出力部１８と、入力部１９と、一時記録制御部２０とを備える。
【００２１】
放送受信部１１は、チューナ及び復調分離手段を有し、放送局から送信される地上波や放送衛星を介して送信される衛星放送波等の放送波のうち機器制御部１２より指示されたチャンネルの放送波を受信し、映像音声信号と番組情報に分離して機器制御部１２へ供給する。
【００２２】
ここで、番組情報とは、放送局側により映像音声信号に付加される情報であり、「タイトル」、「チャンネル」、「放送開始時刻」、「放送終了時刻」、「ジャンル」、「内容説明」、及び「出演者リスト」等の情報を含むものである。なお、「放送開始時刻」、「放送終了時刻」には、年月日の情報が含まれていてもよい。
【００２３】
映像音声信号一時記録部１３は、例えばハードディスク等の記録装置により構成され、後述する機器制御部１２から供給された制御信号に基づき、映像音声信号と、この映像音声信号を一意に識別する番組ＩＤと、記録を開始した時刻である記録開始日時とを関連づけて記録する。そして、新たに機器制御部１２から供給された映像音声信号を記録する容量が不足する場合には、記録開始日時が古い映像音声信号から順次消去し、新たな映像音声信号を記録する。
【００２４】
ここで番組ＩＤとは、放送番組を一意に識別する識別子として生成されるものであり、例えば、番組情報に含まれる「チャンネル」と「放送開始時刻」との組み合わせ等を番組ＩＤとする。
【００２５】
視聴履歴情報記憶部１４は、例えばハードディスク等の記憶装置により構成され、機器制御部１２から供給された視聴履歴情報を記憶する。
【００２６】
番組情報記憶部１５は、例えばハードディスク等の記憶装置により構成され、機器制御部１２から供給された制御信号に従って、放送番組を一意に識別する番組ＩＤと、番組情報とを関連づけて記憶する。
【００２７】
番組嗜好情報記憶部１６は、例えばハードディスク等の記憶装置により構成され、後述する嗜好分析部１７から供給される番組嗜好情報を記憶する。ここで、番組嗜好情報は、番組ＩＤと、放送番組の利用者による嗜好に適合する度合いを示す番組嗜好度とを含む。
【００２８】
嗜好分析部１７は、例えば、１日に１回などの予め定められた条件に従って動作し、放送番組毎に利用者の番組嗜好度を算出する。具体的には、視聴履歴情報記憶部１４から視聴履歴情報を読み出すと共に、番組情報記憶部１５から番組情報を読み出し、これら読み出した視聴履歴情報及び番組情報に基づいて、番組毎に利用者の番組嗜好度を算出する。そして、算出した番組嗜好度を番組ＩＤと関連づけて番組嗜好情報として番組嗜好情報記憶部１６へ供給する。
【００２９】
出力部１８は、有機ＥＬ（electroluminescence）ディスプレイや、液晶ディスプレイ等の画像出力装置を備え、機器制御部１２から供給された出力信号に基づいて、映像や番組情報等を表示する。
【００３０】
入力部１９は、操作ボタンを備えており、利用者によってこの操作ボタンが押下操作されることによって、操作信号を生成し、生成した操作信号を機器制御部１２へ供給する。
【００３１】
機器制御部１２は、テレビジョン放送の受信、表示、記録、再生等のテレビジョン受信装置としての基本機能を制御する。
【００３２】
そして、機器制御部１２は、その機能上、入出力制御手段１２ａと、記録制御手段１２ｂを備える。
【００３３】
入出力制御手段１２ａは、入力部１９から受信した操作信号に基づいて、主電源の投入又は切断を行ったり、放送受信部１１から受信するチャンネルを設定したり、映像音声信号一時記録部１３に記録された映像音声信号の再生を開始したりする。また、入出力制御手段１２ａは、出力部１８への番組情報や映像音声信号の出力を制御する。
【００３４】
さらに、入出力制御手段１２ａは、チャンネル変更等による放送番組の視聴履歴や、映像音声信号一時記録部１３に記録された映像音声信号の再生履歴を視聴履歴として収集する。具体的には、入力部１９から受信した操作信号に基づいて、視聴番組のチャンネル切替えを要求する操作信号、及び映像音声信号一時記録部１３に記録された映像音声信号の再生を要求する操作信号から、視聴履歴を生成し、利用者が視聴した放送番組の映像音声信号の番組ＩＤと関連づけて視聴履歴情報として視聴履歴情報記憶部１４へ供給する。
【００３５】
記録制御手段１２ｂは、後述する一時記録制御部２０からの指示に従い、放送受信部１１から供給された映像音声信号を映像音声信号記録部２１に記憶させると共に、放送受信部１１から供給された番組情報を番組情報記憶部１５に記憶させる。
【００３６】
なお、機器制御部１２は、入力部１９から主電源の切断を要求する操作信号が供給された場合、主電源を切断すると共に、出力部１８への映像音声信号の出力も停止する。ただし、機器制御部１２は、主電源を切断しても待機電源が常時投入されている。そのため記録制御手段１２ｂは、映像音声信号を映像音声信号一時記録部１３へ供給し続けることができる。
【００３７】
一時記録制御部２０は、その機能上、時刻判定手段２０ａと、番組決定手段２０ｂと、設定値記憶手段２０ｃを備える。
【００３８】
時刻判定手段２０ａは、内部に時計を備えており、一時記録装置１の主電源が投入されていない場合に、映像音声信号一時記録部１３が記録中である映像音声信号に対応する放送番組の放送終了時刻が、内部の時計が計時する現在時刻に一致するか否かを判定する。また、時刻判定手段２０ａは、この判定に用いる番組ＩＤと放送終了時刻とを設定値記憶手段２０ｃに記憶させる。
【００３９】
番組決定手段２０ｂは、時刻判定手段２０ａにより、放送終了時刻が現在時刻に一致したと判定された場合に、番組情報記憶部１５及び番組嗜好情報記憶部１６から、それぞれ番組情報及び番組嗜好情報を読み出し、この読み出した番組情報及び番組嗜好情報に基づいて、現在放送中の放送番組、又は現在時刻から所定時間経過までの間に放送開始予定である放送番組のうち、最も番組嗜好度の高い放送番組を決定する。
【００４０】
設定値記憶手段２０ｃは、上限閾値及び下限閾値を記憶する。また、設定値記憶手段２０ｃは、時刻判定手段２０ａより供給される番組ＩＤと放送終了時刻とを関連づけて記憶する。
【００４１】
また、本発明の実施例１である一時記録装置１は、映像音声信号一時記録部１３、視聴履歴情報記憶部１４、番組情報記憶部１５、番組嗜好情報記憶部１６を別々の記憶装置として構成しているが、各々の記憶部を部分的に共用したり、全ての記憶部を１つの記憶装置で共用したりする構成としてもよい。
【００４２】
＜一時記録装置１の作用＞
本発明の実施例１である一時記録装置１は、主に嗜好分析処理、及び一時記録処理を行う。よって以下に、これら各処理について詳細に説明する。
【００４３】
≪嗜好分析処理≫
まず、本発明の実施例１である一時記録装置１の嗜好分析部１７における嗜好分析処理の詳細について説明する。
【００４４】
図２は、実施例１である一時記録装置１において、予め定められた時間間隔で定期的に動作している嗜好分析処理のうちの１周期分の主要な処理を示したフローチャートである。
【００４５】
実施例１である一時記録装置１の嗜好分析部１７は、嗜好分析処理を開始すると、番組情報記憶部１５に記憶された番組情報から１つ又は２つ以上のキーワードを抽出する（Ｓ１０１）。具体的には、例えば、番組情報に含まれる「ジャンル」及び「出演者」をキーワードとし、「タイトル」及び「内容説明」の文字列データを公知の形態素解析により形態素に分解し、名詞等の予め定められた特定の品詞に属する形態素をキーワードとして抽出する。
【００４６】
次に、嗜好分析部１７は、抽出した各キーワードの番組出現回数を計算する（Ｓ１０２）。具体的には、抽出した各キーワードのそれぞれを順次、計算対象キーワードｋとして、この計算対象キーワードｋが含まれている放送番組の数を算出し、この算出結果を番組出現回数とする。なお、この計算対象キーワードｋが１つの番組に重複して含まれる場合でも番組出現回数は１回として算出する。
【００４７】
次に、嗜好分析部１７は、各計算対象キーワードｋの視聴履歴出現頻度を算出する（ステップＳ１０３）。ここで、視聴履歴出現頻度とは、計算対象キーワードｋが視聴履歴情報に含まれる番組ＩＤにより識別される放送番組の番組情報に含まれる頻度を示す。具体的には、嗜好分析部１７は、１つの計算対象キーワードｋが、視聴履歴情報に含まれる番組ＩＤにより識別される放送番組ｈの番組情報から抽出した１つ以上のキーワードの中に存在した個数をＮｋ，ｈとし、放送番組ｈから抽出したキーワードの種類数（重複するキーワードは１とする）をＮｈとして、計算対象キーワードｋの放送番組ｈに対する出現頻度Ｆｋ，ｈを数式１を用いて算出する。
【数１】
2009141575.tif 000003
【００４８】
この数式１は、利用者の嗜好の観点から、キーワードの種類数が少ない放送番組に含まれる計算対象キーワードｋほど重要度が高く出現頻度Ｆｋ，ｈの値が大きくなり、キーワードの種類数が多い放送番組に含まれる計算対象キーワードｋほど重要度が低く出現頻度Ｆｋ，ｈの値が小さくなることを示している。さらに、人間の感覚に近いと言われている対数関数を用いている。
【００４９】
次に、嗜好分析部１７は、視聴履歴情報に含まれる全ての番組ＩＤにより識別される放送番組についても同様に、数式１を用いて計算対象キーワードｋの放送番組毎の出現頻度Ｆｋ，ｈを算出する。そして、嗜好分析部１７は、この算出した出現頻度Ｆｋ，ｈの総和を視聴履歴出現頻度Ｆｋとして、下記の数式２のとおり算出する。
【数２】
2009141575.tif 000004
【００５０】
そして、嗜好分析部１７は、計算対象キーワードｋ毎の嗜好度をキーワード嗜好度として算出する（ステップＳ１０４）。具体的には、嗜好分析部１７は、全番組数をＮ、ステップＳ１０２において算出した計算対象キーワードｋの番組出現回数をＮｋ、ステップＳ１０３において算出した計算対象キーワードｋの視聴履歴出現頻度をＦｋとして、計算対象キーワードｋ毎のキーワード嗜好度Ｐｋを下記の数式３を用いて算出する。
【数３】
2009141575.tif 000005
【００５１】
この数式３は、利用者の嗜好という観点から、多くの放送番組に出現する計算対象キーワードｋほど重要度が低くキーワード嗜好度Ｐｋの値が小さくなり、出現する放送番組の少ない計算対象キーワードｋほど重要度が高くキーワード嗜好度Ｐｋの値が大きくなることを示している。さらに数式３は、人間の感覚に近いと言われている対数関数を用いている。
【００５２】
次に、嗜好分析部１７は、放送番組毎の嗜好度を番組嗜好度として算出する（ステップＳ１０５）。番組嗜好度の計算の対象は、番組情報記憶部１５に番組情報が記憶されている放送番組のうち、また放送されていない、即ち、放送開始時刻が現在時刻より後である放送番組とする。具体的には、嗜好分析部１７は、全てのキーワードｋについて、ステップＳ１０３において算出したキーワードｋの放送番組ｈに対する出現頻度出現頻度Ｆｋ，ｈと、ステップＳ１０４において算出したキーワードｋのキーワード嗜好度Ｐｋとの積を算出する。そして、嗜好分析部１７は、下記の数式４に示すように、算出した全ての出現頻度出現頻度Ｆｋ，ｈとキーワード嗜好度Ｐｋとの積の総和を、計算対象番組ｈの番組嗜好度Ｑｈとして算出する。
【数４】
2009141575.tif 000006
【００５３】
そして、嗜好分析部１７は、計算対象番組ｈの番組ＩＤとこの計算対象番組ｈの番組嗜好度Ｑｈとを関連付けて番組嗜好情報として番組嗜好情報記憶部１６に記憶する。
【００５４】
≪一時記録処理≫
次に、本発明の実施例１である一時記録装置１における一時記録処理の詳細について説明する。
【００５５】
図３は、実施例１である一時記録装置１における一時記録処理の処理フローを示したフローチャートである。
【００５６】
まず、機器制御部１２の入出力制御手段１２ａは、一時記録装置１の主電源が投入された後（ステップＳ２００）、入力部１９から主電源の切断を要求する操作信号を受信したか否かを判定する（ステップＳ２０１）。
【００５７】
ステップＳ２０１において、主電源の切断を要求する操作信号を受信していない場合は、入力部１９から受信する放送波のチャンネル変更を要求する操作信号を受信したか否かを判定する（ステップＳ２０２）。
【００５８】
ステップＳ２０２において、チャンネルの変更を要求する操作信号を受信していない場合は、処理をステップＳ２０１に移行する。
【００５９】
一方、ステップＳ２０２において、チャンネルの変更を要求する操作信号を受信した場合は、入出力制御手段１２ａは、選択されたチャンネルのチャンネル情報を放送受信部１１、及び記録制御手段１２ｂへ供給する。そして、チャンネル情報が供給された放送受信部１１は、チャンネル情報が示すチャンネルの放送波を受信し、映像音声信号と番組情報に分離して機器制御部１２へ供給する。
【００６０】
次に、入出力制御手段１２ａによりチャンネル情報が供給された記録制御手段１２ｂは、放送受信部１１から供給された映像音声信号を番組ＩＤと関連づけて映像音声信号一時記録部１３に記録を開始させる（ステップＳ２０３）。
【００６１】
次に、記録制御手段１２ｂは、ステップＳ２０３において、映像音声信号一時記録部１３に記録を開始させた番組ＩＤと、映像音声信号一時記録部１３に記録を開始させた映像音声信号の放送終了時刻とを一時記録制御部２０の時刻判定手段２０ａに供給する（ステップＳ２０４）。
【００６２】
そして、時刻判定手段２０ａは、供給された番組ＩＤと放送終了時刻とを関連づけて設定値記憶手段２０ｃに記憶した（ステップＳ２０５）後、処理をステップＳ２０１に移行する。
【００６３】
一方、ステップＳ２０１において、入力部１９から主電源の切断を要求する操作信号を受信したと判定された場合、機器制御部１２が主電源の切断を行う（ステップＳ２０６）。
【００６４】
その後、入出力制御手段１２ａは、入力部１９から主電源の投入を要求する操作信号を受信した場合は（ステップＳ２０７）、機器制御部１２が、主電源の投入を行った（ステップＳ２０８）後、処理をステップＳ２０２に移行する。
【００６５】
一方、ステップＳ２０７において、主電源の投入を要求する操作信号を受信していない場合、一時記録制御部２０の時刻判定手段２０ａは、現在記録中である映像音声信号に対応する放送終了時刻を読み出す（ステップＳ２０９）。具体的には、時刻判定手段２０ａは、機器制御部１２の記録制御手段１２ｂにより記録中である映像音声信号に対応する番組ＩＤに関連づけられた放送終了時刻を、設定値記憶手段２０ｃから読み出す。
【００６６】
次に、時刻判定手段２０ａは、設定値記憶手段２０ｃから読み出した放送終了時刻が、時刻判定手段２０ａの内部に備えられた時計が計時する現在時刻に一致するか否かを判定する（ステップＳ２１０）。
【００６７】
ステップＳ２１０において、放送終了時刻が現在時刻に一致しないと判定された場合、処理をステップＳ２０７に移行する。
【００６８】
一方、ステップＳ２１０において、放送終了時刻が現在時刻に一致すると判定された場合、番組決定手段２０ｂは、番組情報記憶部１５から番組情報を読み出すと共に、番組嗜好情報記憶部１６から番組嗜好情報を読み出す（ステップＳ２１１）。
【００６９】
次に、番組決定手段２０ｂは、ステップＳ２１１において読み出した番組情報、及び番組嗜好情報に基づいて、番組嗜好度を取得する（ステップＳ２１２）。具体的には、番組決定手段２０ｂは、ステップＳ２１１において読み出した番組情報から現在放送中の放送番組の番組情報を抽出すると共に、設定値記憶手段２０ｃから下限閾値を読み出し、抽出した番組情報の中から、現在時刻から読み出した番組情報に含まれる放送終了時刻までの時間が、読み出した下限閾値より長い放送番組に対応する番組ＩＤを抽出する。
【００７０】
さらに、番組決定手段２０ｂは、設定値記憶手段２０ｃから上限閾値を読み出し、ステップＳ２１１において読み出した番組情報から、放送前であって、かつ現在時刻から放送開始時刻までの時間が読み出した上限閾値より短い放送番組に対応する番組ＩＤを抽出する。そして、番組決定手段２０ｂは、ステップＳ２１１において読み出した番組嗜好情報から、それぞれ抽出した番組ＩＤに対応する番組嗜好情報を抽出する。
【００７１】
次に、番組決定手段２０ｂは、抽出した番組嗜好情報の中から１つの番組ＩＤを決定する（ステップＳ２１３）。具体的には、ステップＳ２１２において抽出した番組嗜好情報の中から、この番組嗜好情報に含まれる番組嗜好度の値が最も大きい番組ＩＤを決定する。
【００７２】
そして、番組決定手段２０ｂは、決定した番組ＩＤを機器制御部１２の記録制御手段１２ｂに供給し、番組ＩＤが供給された記録制御手段１２ｂは、この番組ＩＤに対応する放送番組の映像音声信号を映像音声信号一時記録部１３に記録を開始する（ステップＳ２１４）。
【００７３】
さらに、記録制御手段１２ｂは、ステップＳ２１４において、映像音声信号一時記録部１３に記録を開始させた番組ＩＤと、映像音声信号の放送終了時刻とを一時記録制御部２０の時刻判定手段２０ａに供給する（ステップＳ２１５）。
【００７４】
次に、時刻判定手段２０ａは、供給された番組ＩＤと放送終了時刻とを関連づけて設定値記憶手段２０ｃに記憶した（ステップＳ２１６）後、処理をステップＳ２０７に移行する。
【００７５】
このように、本発明の実施例１である一時記録装置によれば、主電源が投入されていない場合には、利用者の嗜好に適合する放送番組の映像音声信号を記録するようにしたので、利用者が視聴を開始した時点で既に放送済みである放送番組の場面を記録することができる。
【００７６】
これにより、例えば、利用者が、録画に関する操作を行っていない放送番組の放送開始後に、放送済みの放送番組の場面を視聴したいと思った場合においても、本発明の実施例１である一時記録装置１に記録された映像音声信号を視聴することができる。
【００７７】
なお、ステップＳ２１０において、時刻判定手段２０ａは、放送終了時刻が、時刻判定手段２０ａの内部に備えられた時計が計時する現在時刻に一致する否かを判定したが、現在時刻が放送終了時刻の数秒前となったか否かを判定するようにしてもよい。
【００７８】
なお、上述した実施形態を、コンピュータにインストールした一時記録プログラムを実行させることにより実現することもできる。すなわち、この一時記録プログラムは、例えば、一時記録プログラムが記憶された記録媒体から読み出され、機器制御部１２で実行されることにより一時記録装置１を構成するようにしてもよいし、通信ネットワークを介して伝送されてインストールされ、機器制御部１２で実行されることにより一時記録装置１を構成するようにしてもよい。
【実施例２】
【００７９】
本発明の実施例２では、放送番組の映像音声信号と、放送番組の放送終了時刻を含む番組情報とを受信し、映像音声信号の録画予約、記録、及び再生を行う一時記録装置について説明する。
【００８０】
＜一時記録装置の構成＞
図４は、本発明の実施例２である一時記録装置の構成を示した構成図である。本発明の実施例２である一時記録装置１０は、放送受信部１１と、機器制御部１２と、映像音声信号一時記録部１３と、視聴履歴情報記憶部１４と、番組情報記憶部１５と、番組嗜好情報記憶部１６と、嗜好分析部１７と、出力部１８と、入力部１９と、一時記録制御部２０と、映像音声信号記録部２１と、録画予約情報記憶部２２とを備える。
【００８１】
放送受信部１１は、チューナ及び復調分離手段を有し、放送局から送信される地上波や放送衛星を介して送信される衛星放送波等の放送波のうち後述する機器制御部１２より指示されたチャンネルの放送波を受信し、映像音声信号と番組情報に分離して機器制御部１２へ供給する。
【００８２】
ここで、番組情報とは、放送局側により映像音声信号に付加される情報であり、「タイトル」、「チャンネル」、「放送開始時刻」、「放送終了時刻」、「ジャンル」、「内容説明」、及び「出演者リスト」等の情報を含むものである。なお、「放送開始時刻」、「放送終了時刻」には、年月日の情報が含まれていてもよい。
【００８３】
映像音声信号一時記録部１３は、例えばハードディスク等の記録装置により構成され、機器制御部１２から供給された制御信号に基づき、映像音声信号と、この映像音声信号を一意に識別する番組ＩＤと、記録を開始した時刻である記録開始日時とを関連づけて記録する。そして、新たに機器制御部１２から供給された映像音声信号を記録する容量が不足する場合には、記録開始日時が古い映像音声信号から順次消去し、新たな映像音声信号を記録する。
【００８４】
ここで番組ＩＤとは、放送番組を一意に識別する識別子として生成されるものであり、例えば、番組情報に含まれる「チャンネル」、「放送開始時刻」の組み合わせ等を番組ＩＤとする。
【００８５】
視聴履歴情報記憶部１４は、例えばハードディスク等の記憶装置により構成され、後述する機器制御部１２から供給された視聴履歴情報を記憶する。
【００８６】
番組情報記憶部１５は、例えばハードディスク等の記憶装置により構成され、機器制御部１２から供給された制御信号に従って、放送番組を一意に識別する番組ＩＤと、番組情報を関連づけて記憶する。
【００８７】
番組嗜好情報記憶部１６は、例えばハードディスク等の記憶装置により構成され、後述する嗜好分析部１７から供給される番組嗜好情報を記憶する。ここで、番組嗜好情報は、番組ＩＤと、放送番組の利用者による嗜好に適合する度合いを示す番組嗜好度とを含む。
【００８８】
映像音声信号記録部２１は、例えばハードディスク等の記録装置により構成され、機器制御部１２から供給された制御信号に従って映像音声信号と、この映像音声信号を一意に識別する番組ＩＤとを関連づけて記録する。
【００８９】
録画予約情報記憶部２２は、例えばハードディスク等の記憶装置により構成され、機器制御部１２から供給された制御信号に従って、例えば「タイトル」、「チャンネル」、「放送開始時刻」、「放送終了時刻」、「番組ＩＤ」等の録画予約するために必要な情報である録画予約情報を記憶する。
【００９０】
嗜好分析部１７は、例えば、１日に１回などの予め定められた条件に従って動作し、番組毎に利用者の番組嗜好度を算出する。具体的には、視聴履歴情報記憶部１４から視聴履歴情報を読み出すと共に、番組情報記憶部１５から番組情報を読み出し、これら読み出した視聴履歴情報及び番組情報に基づいて、番組毎に利用者の番組嗜好度を算出する。そして、算出した番組嗜好度を番組ＩＤと関連づけて番組嗜好情報として番組嗜好情報記憶部１６へ供給する。
【００９１】
出力部１８は、有機ＥＬ（electroluminescence）ディスプレイや、液晶ディスプレイ等の画像出力装置を備え、機器制御部１２から供給された出力信号に基づいて、映像や番組情報等を表示する。
【００９２】
入力部１９は、操作ボタンを備えており、利用者によってこの操作ボタンが押下操作されることによって、操作信号を生成し、生成した操作信号を機器制御部１２へ供給する。
【００９３】
機器制御部１２は、テレビジョン放送の受信、録画予約、記録、及び再生等のテレビジョン受信装置としての基本機能を制御する。
【００９４】
そして、機器制御部１２は、その機能上、入出力制御手段１２ａと、記録制御手段１２ｂを備える。
【００９５】
入出力制御手段１２ａは、入力部１９から受信した操作信号に基づいて、主電源の投入又は切断を行ったり、放送受信部１１から受信するチャンネルを設定したり、映像音声信号一時記録部１３に記録された映像音声信号の再生を開始したりする。また、入出力制御手段１２ａは、出力部１８への番組情報や映像音声信号の出力を制御する。
【００９６】
さらに、入出力制御手段１２ａは、チャンネル変更等による放送番組の視聴履歴や、映像音声信号の再生履歴を視聴履歴として収集する。具体的には、入力部１９から受信した操作信号に基づいて、視聴番組のチャンネル切替えを要求する操作信号、映像音声信号一時記録部１３に記録された映像音声信号の再生を要求する操作信号、及び映像音声信号記録部２１に記録された映像音声信号の再生を要求する操作信号から、視聴履歴を生成する。そして、生成した視聴履歴と、利用者が視聴した放送番組の映像音声信号の番組ＩＤと関連づけて視聴履歴情報として視聴履歴情報記憶部１４へ供給する。
【００９７】
さらに、入出力制御手段１２ａは、入力部１９から受信した操作信号に基づいて、放送番組の録画予約を行う。具体的には、入力部１９から受信した操作信号により指定される放送番組の「タイトル」、「チャンネル」、「放送開始時刻」、「放送終了時刻」を番組情報記憶部１５より抽出し、抽出したこれらの情報と番組ＩＤとを関連づけて録画予約情報として録画予約情報記憶部２２に記憶させる。
【００９８】
記録制御手段１２ｂは、後述する一時記録制御部２０からの指示に従い、放送受信部１１から供給された映像音声信号を映像音声信号一時記録部１３や映像音声信号記録部２１に記憶させる。また、録画予約情報に基づいて、放送受信部１１から供給された映像音声信号を映像音声信号記録部２１に記憶させる。さらに、放送受信部１１から供給された番組情報を番組情報記憶部１５に記憶させる。
【００９９】
なお、機器制御部１２は、入力部１９から主電源の切断を要求する操作信号が供給された場合、主電源を切断すると共に、出力部１８への映像音声信号の出力も停止する。ただし、機器制御部１２は、主電源を切断しても待機電源が常時投入されている。そのため記録制御手段１２ｂは、映像音声信号を映像音声信号一時記録部１３へ供給し続けることができる。
【０１００】
一時記録制御部２０は、その機能上、時刻判定手段２０ａと、番組決定手段２０ｂと、設定値記憶手段２０ｃを備える。
【０１０１】
時刻判定手段２０ａは、内部に時計を備えており、一時記録装置１０の主電源が投入されていない場合に、映像音声信号一時記録部１３が記録中である映像音声信号に対応する放送番組の放送終了時刻が、内部の時計が計時する現在時刻に一致するか否かを判定する。また、時刻判定手段２０ａは、この判定に用いる番組ＩＤと放送終了時刻とを設定値記憶手段２０ｃに記憶させる。
【０１０２】
番組決定手段２０ｂは、時刻判定手段２０ａにより、放送終了時刻が現在時刻に一致したと判定された場合に、番組情報記憶部１５、番組嗜好情報記憶部１６、及び録画予約情報記憶部２２から、それぞれ番組情報、番組嗜好情報、及び録画予約情報を読み出し、この読み出した番組情報、番組嗜好情報、及び録画予約情報に基づいて、現在放送中の放送番組、又は現在時刻から所定時間経過までの間に放送開始予定である放送番組であり、かつ録画予約情報に含まれない放送番組のうち、最も番組嗜好度の高い放送番組を決定する。
【０１０３】
設定値記憶手段２０ｃは、上限閾値及び下限閾値を記憶する。また、設定値記憶手段２０ｃは、時刻判定手段２０ａより供給される番組ＩＤと放送終了時刻とを関連づけて記憶する。
【０１０４】
また、本発明の実施例２である一時記録装置１０は、映像音声信号一時記録部１３、視聴履歴情報記憶部１４、番組情報記憶部１５、番組嗜好情報記憶部１６、映像音声信号記録部２１、及び録画予約情報記憶部２２を別々の記憶装置として構成しているが、各々の記憶部を部分的に共用したり、全ての記憶部を１つの記憶装置で共用したりする構成としてもよい。
【０１０５】
＜一時記録装置１０の作用＞
本発明の実施例２である一時記録装置１０は、主に嗜好分析処理、及び一時記録処理を行う。嗜好分析処理については、本発明の実施例１である一時記録装置１における嗜好分析処理と同一であるので、説明を省略する。
【０１０６】
≪一時記録処理≫
次に、本発明の実施例２である一時記録装置１０における一時記録処理の詳細について説明する。
【０１０７】
図５は、実施例２である一時記録装置１０における一時記録処理の処理フローを示したフローチャートである。
【０１０８】
まず、機器制御部１２の入出力制御手段１２ａは、一時記録装置１０の主電源が投入された後（ステップＳ３００）、入力部１９から主電源の切断を要求する操作信号を受信したか否かを判定する（ステップＳ３０１）。
【０１０９】
ステップＳ３０１において、主電源の切断を要求する操作信号を受信していない場合は、入力部１９から受信する放送波のチャンネル変更を要求する操作信号を受信したか否かを判定する（ステップＳ３０２）。
【０１１０】
ステップＳ３０２において、チャンネルの変更を要求する操作信号を受信していない場合は、処理をステップＳ３０１に移行する。
【０１１１】
一方、ステップＳ３０２において、チャンネルの変更を要求する操作信号を受信した場合は、入出力制御手段１２ａは、選択されたチャンネルのチャンネル情報を放送受信部１１、及び記録制御手段１２ｂへ供給する。そして、チャンネル情報が供給された放送受信部１１は、チャンネル情報が示すチャンネルの放送波を受信し、映像音声信号と番組情報に分離して機器制御部１２へ供給する。
【０１１２】
次に、入出力制御手段１２ａによりチャンネル情報が供給された記録制御手段１２ｂは、放送受信部１１から供給された映像音声信号を番組ＩＤと関連づけて映像音声信号一時記録部１３に記録を開始させる（ステップＳ３０３）。
【０１１３】
次に、記録制御手段１２ｂは、ステップＳ３０３において、映像音声信号一時記録部１３に記録を開始させた番組ＩＤと、映像音声信号一時記録部１３に記録を開始させた映像音声信号の放送終了時刻とを一時記録制御部２０の時刻判定手段２０ａに供給する（ステップＳ３０４）。
【０１１４】
そして、時刻判定手段２０ａは、供給された番組ＩＤと放送終了時刻とを関連づけて設定値記憶手段２０ｃに記憶した（ステップＳ３０５）後、処理をステップＳ３０１に移行する。
【０１１５】
一方、ステップＳ３０１において、入力部１９から主電源の切断を要求する操作信号を受信したと判定された場合、機器制御部１２が主電源の切断を行う（ステップＳ３０６）。
【０１１６】
その後、入出力制御手段１２ａは、入力部１９から主電源の投入を要求する操作信号を受信した場合（ステップＳ３０６）は、機器制御部１２が、主電源の投入を行った（ステップＳ３０８）後、処理をステップＳ３０２に移行する。
【０１１７】
一方、ステップＳ３０７において、主電源の投入を要求する操作信号を受信していない場合、一時記録制御部２０の時刻判定手段２０ａは、現在記録中である映像音声信号に対応する放送終了時刻を読み出す（ステップＳ３０９）。具体的には、時刻判定手段２０ａは、機器制御部１２の記録制御手段１２ｂにより記録中である映像音声信号に対応する番組ＩＤに関連づけられた放送終了時刻を、設定値記憶手段２０ｃから読み出す。
【０１１８】
次に、時刻判定手段２０ａは、設定値記憶手段２０ｃから読み出した放送終了時刻が、時刻判定手段２０ａの内部に備えられた時計が計時する現在時刻に一致するか否かを判定する（ステップＳ３１０）。
【０１１９】
ステップＳ３１０において、放送終了時刻が現在時刻に一致しないと判定された場合、処理をステップＳ３０７に移行する。
【０１２０】
一方、ステップＳ３１０において、放送終了時刻が現在時刻に一致すると判定された場合、番組決定手段２０ｂは、番組情報記憶部１５から番組情報を読み出し、番組嗜好情報記憶部１６から番組嗜好情報を読み出し、さらに、録画予約情報記憶部２２から録画予約情報を読み出す（ステップＳ３１１）。
【０１２１】
次に、番組決定手段２０ｂは、読み出した番組情報、番組嗜好情報、録画予約情報に基づいて、放送番組候補を選択する（ステップＳ３１２）。具体的には、番組決定手段２０ｂは、ステップＳ３１１において読み出した番組情報から現在放送中の放送番組の番組情報を抽出すると共に、設定値記憶手段２０ｃから下限閾値を読み出し、抽出した番組情報の中から、内部の時計が示す現在時刻から読み出した番組情報に含まれる放送終了時刻までの時間が、読み出した下限閾値より長い放送番組に対応する番組ＩＤを抽出する。
【０１２２】
さらに、番組決定手段２０ｂは、設定値記憶手段２０ｃから上限閾値を読み出し、ステップＳ３１１において読み出した番組情報から、放送前であって、かつ現在時刻から放送開始時刻までの時間が読み出した上限閾値より短い放送番組に対応する番組ＩＤを抽出する。
【０１２３】
次に、番組決定手段２０ｂは、抽出した番組ＩＤの中から、既に録画予約済みの番組ＩＤを削除し、この削除済みの番組ＩＤを記録放送番組候補として選択する（ステップＳ３１２）。具体的には、番組決定手段２０ｂは、上記抽出された番組ＩＤが、ステップＳ３１１において読み出した録画予約情報に含まれている場合には、この録画予約情報に含まれる番組ＩＤを削除し、残りの番組ＩＤを記録放送番組候補として選択する。
【０１２４】
そして、番組決定手段２０ｂは、ステップＳ３１１において読み出した番組嗜好情報から、選択された記録放送番組候補の番組ＩＤに対応する番組嗜好情報を抽出する（ステップＳ３１３）。
【０１２５】
次に、番組決定手段２０ｂは、抽出した番組嗜好情報の中から１つの番組ＩＤを決定する（ステップＳ３１４）。具体的には、番組嗜好情報に含まれる番組嗜好度の値が最も大きい番組ＩＤを記録放送番組の番組ＩＤとして決定する。
【０１２６】
そして、番組決定手段２０ｂは、決定した記録放送番組の番組ＩＤを機器制御部１２の記録制御手段１２ｂに供給し、この番組ＩＤが供給された記録制御手段１２ｂは、この番組ＩＤに対応する放送番組の映像音声信号を映像音声信号一時記録部１３に記憶を開始する（ステップＳ３１５）。
【０１２７】
次に、記録制御手段１２ｂは、ステップＳ３１５において、映像音声信号一時記録部１３に記録を開始させた番組ＩＤと、映像音声信号の放送終了時刻とを一時記録制御部２０の時刻判定手段２０ａに供給する（ステップＳ３１６）。
【０１２８】
そして、時刻判定手段２０ａは、供給された番組ＩＤと放送終了時刻とを関連づけて設定値記憶手段２０ｃに記憶した（ステップＳ３１７）後、処理をステップＳ３０７に移行する。
【０１２９】
このように、本発明の実施例２である一時記録装置１０によれば、主電源が切断されている場合には、利用者の嗜好に適合する放送番組のうち、既に録画予約済みである放送番組を除いた放送番組の映像音声信号を記録するようにしたので、利用者が視聴を開始した時点で既に放送開始済みである放送番組のうち、利用者が録画予約の操作を行わなかった放送番組の放送済みの場面を一時的に記録することができる。
【０１３０】
これにより、例えば、利用者が、録画に関する操作を行っていない放送番組の放送開始後に、放送済みの放送番組の場面を視聴したいと思った場合においても、本発明の実施例２である一時記録装置１０に記録された映像音声信号を視聴することができる。
【０１３１】
なお、ステップＳ３１０において、時刻判定手段２０ａは、放送終了時刻が、時刻判定手段２０ａの内部に備えられた時計が計時する現在時刻に一致する否かを判定したが、現在時刻が放送終了時刻の数秒前となったか否かを判定するようにしてもよい。
【０１３２】
なお、上述した実施形態を、コンピュータにインストールした一時記録プログラムを実行させることにより実現することもできる。すなわち、この一時記録プログラムは、例えば、一時記録プログラムが記憶された記録媒体から読み出され、機器制御部１２で実行されることにより一時記録装置１０を構成するようにしてもよいし、通信ネットワークを介して伝送されてインストールされ、機器制御部１２で実行されることにより一時記録装置１０を構成するようにしてもよい。
【図面の簡単な説明】
【０１３３】
【図１】本発明の実施例１である一時記録装置の構成を示した構成図である。
【図２】本発明の実施例１である一時記録装置において、予め定められた時間間隔で定期的に動作している嗜好分析処理のうちの１周期分の主要な処理を示したフローチャートである。
【図３】本発明の実施例１である一時記録装置における一時記録処理の処理フローを示したフローチャートである。
【図４】本発明の実施例２である一時記録装置の構成を示した構成図である。
【図５】本発明の実施例２である一時記録装置における一時記録処理の処理フローを示したフローチャートである。
【符号の説明】
【０１３４】
１，１０…一時記録装置
１１…放送受信部
１２…機器制御部
１２ａ…入出力制御手段
１２ｂ…記録制御手段
１３…映像音声信号一時記録部
１４…視聴履歴情報記憶部
１５…番組情報記憶部
１６…番組嗜好情報記憶部
１７…嗜好分析部
１８…出力部
１９…入力部
２０…一時記録制御部
２０ａ…時刻判定手段
２０ｂ…番組決定手段
２０ｃ…設定値記憶手段
２１…映像音声信号記録部
２２…録画予約情報記憶部
【図１】
2009141575.tif 000007
【図２】
2009141575.tif 000008
【図３】
2009141575.tif 000009
【図４】
2009141575.tif 000010
【図５】
2009141575.tif 000011